【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
病原体に対する抗菌銀材料の抗菌作用を増強するための創傷治療デバイスであって、
ａ）独立気泡及び壁を含む、成形された生体適合性ポリマーのマトリクスと、
ｂ）前記独立気泡に含められた気体酸素と、
ｃ）前記マトリクスの少なくとも皮膚接触部分上に存在する抗菌銀材料とを含み、
前記抗菌銀材料の存在下で前記独立気泡から酸素が送達されるように構成され、前記抗菌銀材料が前記抗菌銀材料単独よりも大きな微生物殺滅能力を発揮することを特徴とするデバイス。
【請求項２】
請求項１に記載のデバイスであって、
前記抗菌銀材料は、銀塩、銀錯体、元素銀、またはそれらの組み合わせを含み、
好ましくは、前記抗菌銀材料は、約０．０１重量％〜約２重量％の濃度で存在することを特徴とするデバイス。
【請求項３】
請求項２に記載のデバイスであって、
前記元素銀は、銀ナノ粒子、銀粉末、またはそれらの組み合わせから選択されることを特徴とするデバイス。
【請求項４】
請求項１から３のいずれか一項に記載のデバイスであって、
生体適合性ポリマーの前記マトリクスは、ポリマーと触媒とを含み、
気体酸素は、溶解酸素が前記壁のなかの水分中に存在するように過酸化物が触媒と反応した場合に生成されることを特徴とするデバイス。
【請求項５】
請求項４に記載のデバイスであって、
前記触媒は、炭酸ナトリウム、塩化第二銅、塩化第二鉄、酸化マンガン、ヨウ化ナトリウム、ラクトペルオキシダーゼ、カタラーゼ、またはそれらの組み合わせを含み、
前記過酸化物は、過酸化水素、過酸化アンモニウム、過酸化ナトリウム、またはそれらの組み合わせを含むことを特徴とするデバイス。
【請求項６】
請求項１から５のいずれか一項に記載のデバイスであって、
前記マトリクスは、ストランドの形態を更に有することを特徴とするデバイス。
【請求項７】
病原体に対する抗菌銀材料の抗菌作用を増強するための創傷治療デバイスであって、
ａ）ポリマー及び触媒を含み、かつ独立気泡及び壁を含む、成形された生体適合性ポリマーのマトリクスと、
ｂ）前記独立気泡に含められた気体酸素と、
ｃ）前記マトリクスの皮膚接触部分上に存在する抗菌銀材料と、
ｄ）前記壁のなかの水分中に存在する溶解酸素とを含み、
過酸化物が触媒と反応したときに前記気体酸素及び前記溶解酸素が生成されるように構成され、前記デバイスは、前記抗菌銀材料の存在下で前記独立気泡から酸素が送達されるように使用されるべく構成され、前記抗菌銀材料が前記抗菌銀材料単独よりも大きな微生物殺滅能力を発揮することを特徴とするデバイス。
【請求項８】
請求項７に記載のデバイスであって、
前記抗菌銀材料は、銀塩、銀錯体、元素銀、またはそれらの組み合わせを含み、
好ましくは、前記抗菌銀材料は、約０．０１重量％〜約２重量％の濃度で存在することを特徴とするデバイス。
【請求項９】
請求項８に記載のデバイスであって、
前記元素銀は、銀粉末及び銀ナノ粒子から選択されることを特徴とするデバイス。
【請求項１０】
請求項７から９のいずれか一項に記載のデバイスであって、
前記触媒は、炭酸ナトリウム、塩化第二銅、塩化第二鉄、酸化マンガン、ヨウ化ナトリウム、ラクトペルオキシダーゼ、カタラーゼ、またはそれらの組み合わせを含み、
前記過酸化物は、過酸化水素、過酸化アンモニウム、過酸化ナトリウム、またはそれらの組み合わせを含むことを特徴とするデバイス。
【請求項１１】
請求項７から１０のいずれか一項に記載のデバイスであって、
前記マトリクスは、ストランドの形態を更に有することを特徴とするデバイス。
【請求項１２】
病原体に対する抗菌銀材料の抗菌作用を増強する方法であって、
抗菌銀材料のナノ粒子を処理対象の表面または物品に提供するステップと、
前記抗菌銀材料の存在下で酸素を供給するステップであって、それにより前記抗菌銀材料が前記抗菌銀材料単独よりも大きな微生物殺滅能力を発揮する、該ステップとを含むことを特徴とする方法。
【請求項１３】
請求項１２に記載の方法であって、
独立気泡及び壁を含む、成形された生体適合性ポリマーのマトリクスを提供することによって前記酸素が提供され、
気体酸素は大気中の濃度よりも高い濃度で前記独立気泡に含まれていることを特徴とする方法。
【請求項１４】
請求項１２または１３に記載の方法であって、
前記抗菌銀材料のナノ粒子が、前記マトリクスの一部分上に存在することを特徴とする方法。
【請求項１５】
請求項１２から１４のいずれか一項に記載の方法であって、
酸素の存在下での前記抗菌銀材料は、前記抗菌銀材料単独の場合と比較して大きい微生物殺滅能力を提供することを特徴とする方法。
【請求項１６】
請求項１２から１５のいずれか一項に記載の方法であって、
前記処理対象の表面または物品は、無生物の物品または表面であることを特徴とする方法。
【請求項１７】
病原体に対する抗菌銀材料の抗菌作用を増強する方法であって、
抗菌銀材料のナノ粒子を処理対象の表面または物品に提供するステップであって、前記抗菌銀材料は０．５重量％未満の濃度で提供される、該ステップと、
前記抗菌銀材料の存在下で大気中の濃度より高い濃度で酸素を物品に供給するステップであって、前記抗菌銀材料が前記抗菌銀材料単独よりも大きな微生物殺滅能力を発揮する、該ステップとを含むことを特徴とする方法。
【請求項１８】
請求項１７に記載の方法であって、
前記処理対象の表面または物品は、無生物の物品または表面であることを特徴とする方法。
【請求項１９】
創傷被覆材であって、
酸素送達成分及び抗菌銀材料を含み、
前記創傷被覆材が創傷を治療するために使用される場合、前記抗菌銀材料の存在下で酸素が送達され、前記抗菌銀材料が前記抗菌銀材料単独よりも大きな微生物殺滅を提供することを特徴とする創傷被覆材。
【請求項２０】
請求項１９に記載の創傷被覆材であって、
前記抗菌銀材料は抗菌銀ナノ粒子であることを特徴とする創傷被覆材。
【請求項２１】
請求項１９または２０に記載の創傷被覆材であって、
前記抗菌銀材料が、０．５重量％未満の濃度で存在することを特徴とする創傷被覆材。
【請求項２２】
哺乳動物（ヒトを除く）における微生物感染を治療または予防する方法であって、
処置対象の部位に抗菌銀材料を投与するステップと、
前記抗菌銀材料の存在下で大気中の濃度より高い濃度の酸素を前記部位に供給するステップであって、それにより前記抗菌銀材料が前記抗菌銀材料単独よりも大きな微生物殺滅能力を発揮する、該ステップとを含むことを特徴とする方法。
【請求項２３】
請求項２２に記載の方法であって、
前記抗菌銀材料は抗菌銀ナノ粒子であることを特徴とする方法。
【請求項２４】
請求項２２または２３に記載の方法であって、
前記抗菌銀材料が、０．５重量％未満の濃度で存在することを特徴とする方法。
【請求項２５】
微生物感染の治療または予防、創傷治癒の促進、または細菌感染の治療において大気の濃度より高濃度の酸素とともに使用するための抗菌銀材料。
【請求項２６】
請求項２５に記載の抗菌銀材料であって、
前記抗菌銀材料は抗菌銀ナノ粒子であることを特徴とする抗菌銀材料。
【請求項２７】
微生物感染の治療または予防、創傷治癒の促進、または細菌感染の治療において大気の濃度より高濃度の酸素とともに使用するための医薬の製造における抗菌銀材料の使用。
【請求項２８】
請求項２７に記載の使用であって、
前記抗菌銀材料は抗菌銀ナノ粒子であることを特徴とする使用。